【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
アドレスに関して、コンピューティング・デバイスに関連する一意の値を含めるための要求を、そのコンピューティング・デバイスから受信することと、
前記一意の値に基づいて、前記コンピューティング・デバイスに関連するユーザ名を生成することと、
前記ユーザ名をネットワーク要素内のコンテキストへバインドすることと、
前記コンテキスト内の前記コンピューティング・デバイスにアドレスを割り当てることと、
前記アドレスに基づいて、前記コンピューティング・デバイスと前記ネットワーク要素の間で回路を生成することとを含むコンピュータで実施される方法。
【請求項２】
前記ユーザ名に基づいて前記コンテキストを選択することを含む請求項１に記載のコンピュータ実施される方法。
【請求項３】
前記コンピューティング・デバイスに前記アドレスを割り当てることが、前記コンピューティング・デバイスにインターネット・プロトコル・アドレスを割り当てることを含む請求項１に記載のコンピュータ実施される方法。
【請求項４】
前記コンピューティング・デバイスに関連する前記一意の値が、メディア・アクセス制御アドレスを含む請求項１に記載のコンピュータ実施される方法。
【請求項５】
割り当てられた前記アドレスに基づいて前記コンピューティング・デバイスのアカウンティングを更新することを含む請求項１に記載のコンピュータ実施される方法。
【請求項６】
前記コンピューティング・デバイスから前記要求を受信することが、動的ホスト制御プロトコルに基づく要求を受信することを含む請求項１に記載のコンピュータ実施される方法。
【請求項７】
前記一意の値が複数の１０進数値を含み、前記ユーザ名が前記複数の１０進数値に対応する複数のテキスト文字を含む請求項１に記載のコンピュータ実施される方法。
【請求項８】
機械によって実行される時に、前記機械に、
コンピューティング・デバイスからアドレスに関する、前記コンピューティング・デバイスに関連する一意の値を含めるための要求を受信することと、
前記コンピューティング・デバイスに関連するユーザ名を前記一意の値に基づいて生成することと、
前記ユーザ名をネットワーク要素内のコンテキストにバインドすることと、
前記コンテキスト内の前記コンピューティング・デバイスにアドレスを割り当てることと、
前記アドレスに基づいて、前記コンピューティング・デバイスと前記ネットワーク要素の間で回路を生成することと
を含むオペレーションを実行させる命令を提供する機械可読媒体。
【請求項９】
前記コンピューティング・デバイスに前記アドレスを割り当てることが、前記コンピューティング・デバイスにインターネット・プロトコル・アドレスを割り当てることを含む請求項８に記載の機械可読媒体。
【請求項１０】
前記コンピューティング・デバイスに関連する前記一意の値が、メディア・アクセス制御アドレスを含む請求項８に記載の機械可読媒体。
【請求項１１】
割り当てられた前記アドレスに基づいて前記コンピューティング・デバイスのアカウンティングを更新することを含む請求項８に記載の機械可読媒体。
【請求項１２】
前記コンピューティング・デバイスから前記要求を受信することが、動的ホスト制御プロトコルに基づく要求を受信することを含む請求項８に記載の機械可読媒体。
【請求項１３】
前記一意の値が、複数の１０進数値を含み、前記ユーザ名が、前記複数の１０進数値に対応する複数のテキスト文字を含む請求項８に記載の機械可読媒体。
【請求項１４】
コンピューティング・デバイスとネットワーク要素との間に仮想回路を生成する方法であって、
前記コンピューティング・デバイスからインターネット・プロトコル（「ＩＰ」）アドレスに関する動的ホスト構成プロトコル（「ＤＨＣＰ」）要求を受信することで、該要求が前記コンピューティング・デバイスの一意の識別子を含む前記受信と、
受信時に前記コンピューティング・デバイスの前記一意の識別子に基づいて加入者識別子を生成することと、
前記コンピューティング・デバイスの前記一意の識別子に基づいて複数のサービスから選択された一のサービスと該選択されたサービスに関する属性とを検索することと、
前記選択されたサービスに基づいて前記コンピューティング・デバイスにＩＰアドレスを割り当てることと、
前記コンピューティング・デバイスが結合された前記ネットワーク要素の物理インターフェースに前記ＩＰアドレスをバインドすることと、
前記コンピューティング・デバイスに関するアカウントを更新させることとを含む方法。
【請求項１５】
前記コンピューティング・デバイスの前記一意の識別子は該コンピューティング・デバイスのメディア・アクセス制御アドレスに基づく請求項１４に記載の方法。
【請求項１６】
加入者に非チャネル化媒体上でサービスを選択させる方法であって、
前記非チャネル化媒体上で前記加入者のコンピューティング・デバイスからインターネット・プロトコル（「ＩＰ」）アドレスに関する動的ホスト構成プロトコル（「ＤＨＣＰ」）要求を受信することで、前記要求が前記コンピューティング・デバイスの一意の識別子を含む前記受信と、
前記加入者のコンピューティング・デバイスが加入者レコード・データベース内に対応レコードを有していないとの判定時に、
前記コンピューティング・デバイスをウェブ・サイトへリダイレクトし、複数のサービスから前記サービスの選択をさせ、
前記選択されたサービスに対応するＩＰアドレスを前記コンピューティング・デバイスに割り当てることにより、
加入者アカウントをアクティブ化することと、
前記コンピューティング・デバイスが結合されたネットワーク要素の物理インターフェースに前記ＩＰアドレスをバインドすることと、
前記加入者のアカウントを更新させてアクティブな加入者セッションを反映することとを含む方法。
【請求項１７】
前記コンピューティング・デバイスの前記一意の識別子は該コンピューティング・デバイスのメディア・アクセス制御アドレスに基づく請求項１６に記載の方法。
【請求項１８】
前記サービスの前記選択はサービス・プロバイダ及び／又はデータ・レートの選択を含む請求項１６に記載の方法。
【請求項１９】
非チャネル化媒体上で加入者にサービスへ接続させる方法であって、
前記非チャネル化媒体上で前記加入者の顧客前提機器（「ＣＰＥ」）から要求を受信することで、該要求が前記ＣＰＥの一意の識別子を含む前記受信と、
前記加入者のコンピューティング・デバイスが加入者レコード・データベース内に対応レコードを有するとの判定時に、
前記複数のサービスのうちのどれが選択されたかを判定し、
インターネット・プロトコル（「ＩＰ」）アドレスを、前記ＣＰＥへ目下一つも割り当てられていない場合に前記選択されたサービスに基づいて前記ＣＰＥに対し割り当て、
前記レコード内で識別された前記サービスに前記ＣＰＥをバインドすることと、
前記加入者のアカウントを更新してアクティブ・セッションを反映することとを含む方法。
【請求項２０】
前記加入者のＣＰＥが加入者レコード・データベース内にレコードを有していないとの判定時に、
前記ＣＰＥをウェブ・サイトへリダイレクトして複数のサービスから前記サービスを選択し、
前記選択されたサービスに対応するＩＰアドレスを前記ＣＰＥに割り当てることにより、
前記加入者アカウントをアクティブ化することをさらに含む請求項１９に記載の方法。
【請求項２１】
事前オペレーションで、
前記ＣＰＥからインターネット・プロトコル（「ＩＰ」）アドレスに関する動的ホスト構成プロトコル（「ＤＨＣＰ」）要求を受信し、該ＤＨＣＰ要求がＣＰＥの一意の識別子を含む前記事前オペレーションをさらに含む請求項１９に記載の方法。
【請求項２２】
前記ＣＰＥの前記一意の識別子は該ＣＰＥのメディア・アクセス制御アドレスに基づく請求項２１に記載の方法。
【請求項２３】
前記サービスの前記選択はサービス・プロバイダ及び／又はデータレートの選択を含む請求項２０に記載の方法。
【請求項２４】
非チャネル化媒体上で加入者にサービスを選択させるシステムであって、
前記加入者に複数のサービスから前記サービスを選択させるウェブ・サイトと、
データベースに結合したネットワーク要素で、該データベースに１以上のレコードが格納してあり、
前記加入者のコンピューティング・デバイスからデータを受信するポートを含むトラフィック・カードで、前記ポート上でインターネット・プロトコル（「ＩＰ」）アドレスに関する動的ホスト構成プロトコル（「ＤＨＣＰ」）要求を受信し、該要求が前記コンピューティング・デバイスの識別を含む前記トラフィック・カードと、
前記ネットワーク要素に結合した制御カードで、前記加入者が前記データベース内に対応レコードをもたないとの判定時に、前記加入者を前記ウェブ・サイトへリダイレクトし、前記選択されたサービスに従って前記コンピューティング・デバイスにＩＰアドレスを割り当て、該ＩＰアドレスを前記ネットワーク要素の物理インターフェースへバインドし、前記対応レコードを更新する前記制御カードとを含む前記ネットワーク要素とを備えるシステム。
【請求項２５】
前記サービスの選択はサービス・プロバイダ及び／又はデータレートの選択を含む請求項２４に記載のシステム。
【請求項２６】
前記コンピューティング・デバイスの識別は該コンピューティング・デバイスのメディア・アクセス制御アドレスに基づく請求項２４に記載のシステム。
【請求項２７】
機械による実行時に該機械にオペレーションを実行させる命令を供給する機械可読媒体であって、該オペレーションが、
前記コンピューティング・デバイスからインターネット・プロトコル（「ＩＰ」）アドレスに関する動的ホスト構成プロトコル（「ＤＨＣＰ」）要求を受信することで、前記要求が前記コンピューティング・デバイスの一意の識別子を含む前記受信と、
受信時に前記コンピューティング・デバイスの前記一意の識別子に基づいて加入者識別子を生成することと、
前記コンピューティング・デバイスの前記一意の識別子に基づいて複数のサービスから選択された一のサービスと該選択されたサービスに関する属性とを検索することと、
前記選択されたサービスに基づいて前記コンピューティング・デバイスにＩＰアドレスを割り当てることと、
前記コンピューティング・デバイスが結合された前記ネットワーク要素の物理インターフェースに前記ＩＰアドレスをバインドすることと、
前記コンピューティング・デバイスに関するアカウントを更新させることとを含む機械可読媒体。
【請求項２８】
前記コンピューティング・デバイスの前記一意の識別は該コンピューティング・デバイスのメディア・アクセス制御アドレスに基づく請求項２７に記載の機械可読媒体。
【請求項２９】
機械による実行時に該機械にオペレーションを実行する命令を供給する機械可読媒体であって、該オペレーションが、
非チャネル化媒体上で加入者のコンピューティング・デバイスからインターネット・プロトコル（「ＩＰ」）アドレスに関する動的ホスト構成プロトコル（「ＤＨＣＰ」）要求を受信することで、前記要求が前記コンピューティング・デバイスの一意の識別子を含む前記受信と、
前記加入者のコンピューティング・デバイスが加入者レコード・データベース内に対応レコードを有していないとの判定時に、
前記コンピューティング・デバイスをウェブ・サイトへリダイレクトして複数のサービスから一のサービスを選択させ、
前記コンピューティング・デバイスに対し前記選択されたサービスに対応するＩＰアドレスを割り当てることにより、
加入者アカウントをアクティブ化することと、
前記コンピューティング・デバイスを結合したネットワーク要素の物理インターフェースに前記ＩＰアドレスをバインドすることと、
前記加入者のアカウントを更新させてアクティブな加入者セッションを反映することとを含む機械媒体。
【請求項３０】
前記コンピューティング・デバイスの前記一意の識別子は該コンピューティング・デバイスのメディア・アクセス制御アドレスに基づく請求項２９に記載の機械可読媒体。
【請求項３１】
前記複数のサービスからの前記選択はサービス・プロバイダ及び／又はデータレートの選択を含む請求項２９に記載の方法。
【請求項３２】
機械による実行時に該機械にオペレーションを実行する命令を供給する機械可読媒体であって、該オペレーションが、
非チャネル化媒体上で加入者の顧客前提機器（「ＣＰＥ」）から要求を受信することで、前記要求が前記ＣＰＥの一意の識別子を含む前記受信と、
前記加入者のＣＰＥが加入者レコード・データベース内にレコードを有するとの判定時に、
複数のサービスのうちのどれが選択されたことを判定し、
インターネット・プロトコル（「ＩＰ」）アドレスを、前記ＣＰＥに目下一つも割り当てられていない場合に前記ＣＰＥに対する前記選択されたサービスに基づいて割り当て、
前記レコード内の被識別サービスに前記ＣＰＥをバインドすることと、
前記加入者のアカウントを更新してアクティブ・セッションを反映することとを含む機械可読媒体。
【請求項３３】
前記加入者が加入者レコード・データベース内に前記ＣＰＥに関する対応レコードを有していないとの判定時に、
前記ＣＰＥをウェブ・サイトへリダイレクトして複数のサービスから前記サービスを選択し、
前記選択されたサービスに対応するＩＰアドレスを前記ＣＰＥに割り当てることにより、
前記加入者アカウントをアクティブ化する請求項３２に記載の機械可読媒体。
【請求項３４】
事前オペレーションで、
前記ＣＰＥからインターネット・プロトコル（「ＩＰ」）アドレスに関する動的ホスト構成プロトコル（「ＤＨＣＰ」）要求を受信し、該ＤＨＣＰ要求がＣＰＥの一意の識別子を含む前記事前オペレーションをさらに含む請求項３２に記載の機械可読媒体。
【請求項３５】
前記ＣＰＥの前記一意の識別子は該ＣＰＥのメディア・アクセス制御アドレスに基づく請求項３４に記載の機械可読媒体。
【請求項３６】
前記複数のサービスからの前記サービスの選択はサービスプロバイダ及び／又はデータレートの選択を含む請求項３３に記載の機械可読媒体。